(57)【特許請求の範囲】
【請求項１】
１つ又は複数の小型物品の異なる所望のサイズ及び／又は異なる所望の個数を分配するように構成される分配装置であって、前記分配装置は、
保管チャンバと下部チャンバとを有する容器と、
運搬ホルダとホルダ調節装置とを有する搬送部材と、
前記容器に配置されるホルダ出口と、
前記搬送部材は、前記ホルダ出口を通って、収容構成と分配構成との間を往復運動で移動するように構成され、
前記収容構成において、前記搬送部材は前記容器の前記下部チャンバ内に位置し、
前記運搬ホルダは、少なくとも１つの側壁と１つの基部とを有し、前記容器の内部に位置する前記収容構成と前記容器の外部に位置する前記分配構成との間で往復運動し、
前記ホルダ調節装置は、前記運搬ホルダが前記１つ又は複数の小型物品の前記異なる所望のサイズ及び／又は前記異なる所望の個数を前記収容構成と前記分配構成との間で運搬するように、前記運搬ホルダの少なくとも１つの寸法を調節するように構成される分配装置。
【請求項２】
前記往復運動で前記搬送部材に係合するように構成され、戻り止めを有する第１の押しボタンをさらに備え、
前記収容構成において、前記第１の押しボタンの前記戻り止めの係合により前記搬送部材がロックされ、前記搬送部材の意図しない移動を防止し、
前記収容構成において、前記第１の押しボタンの前記戻り止めは、前記搬送部材をロックするように構成され、第２の押しボタンは、前記ホルダ調節装置に係合して、前記１つ又は複数の小型物品の前記異なる所望のサイズ及び／又は前記異なる所望の個数を運搬するために前記運搬ホルダの前記少なくとも１つの寸法を変更するように構成される、請求項１記載の分配装置。
【請求項３】
前記収容構成において、前記保管チャンバ内の前記１つ又は複数の小型物品は、前記搬送部材の前記運搬ホルダ内へ漏斗装置を通って移動するように構成され、
前記１つ又は複数の小型物品を分配するために、前記第１の押しボタンは前記搬送部材を前記収容構成から前記分配構成に移動させる、請求項１又は２に記載の分配装置。
【請求項４】
前記ホルダ調節装置はＬ字型の板であり、
ハンドルにより、前記１つ又は複数の小型物品の前記異なる所望のサイズ及び／又は前記異なる所望の個数の運搬のために、前記Ｌ字型の板が前記運搬ホルダの少なくとも１つの寸法を変更することが容易になる、請求項１又は２に記載の分配装置。
【請求項５】
前記容器に連結された第１の端と、前記運搬ホルダに連結された第２の端を有するばねをさらに備え、
前記ばねは、前記運搬ホルダを前記分配構成から前記収容構成に自動的に戻らせるように構成される、請求項１又は２に記載の分配装置。
【請求項６】
前記漏斗装置は、前記容器の第１の側面及び第２の側面の少なくとも１つの上に配設された横方向、斜め垂直又は傾斜体を備え、又は、
前記漏斗装置は、前記容器の湾曲した第１の側面及び前記容器の湾曲した第２の側面の少なくとも１つを備える、請求項３に記載の分配装置。
【請求項７】
前記１つ又は複数の小型物品は、１個のキャンディ菓子、１個のチューインガム、１錠のタブレット、又は、１錠の錠剤を含む、請求項１又は２に記載の分配装置。
【請求項８】
前記保管チャンバにヒンジ結合される第１のカバーをさらに備え、
前記第１のカバーを開くと、前記１つ又は複数の小型物品を前記保管チャンバに補充することが可能になり、
第２のカバーは前記第２の押しボタンを覆う、請求項３に記載の分配装置。
【請求項９】
１つ又は複数の小型物品の異なる所望のサイズ及び／又は異なる所望の個数を分配するように構成される分配装置であって、前記分配装置は、
第１の側面と、
第２の側面と、
保管チャンバと、
下部チャンバと、を有する
容器と、
前記保管チャンバ及び前記下部チャンバは、前記第１の側面と前記第２の側面との間に形成され、前記第１の側面と前記第２の側面との間の領域に亘り、
運搬ホルダと、
ホルダ調節装置と、
バッフル装置と、を有する
搬送部材と、
前記搬送部材は、収容構成において、前記下部チャンバ内に位置するように構成され、
前記容器に配置されるホルダ出口と、
前記搬送部材は前記ホルダ出口を通って、前記収容構成と分配構成との間を往復運動で移動するように構成され、
前記運搬ホルダは、少なくとも１つの側壁と１つの基部とを有し、前記容器の内部に位置する前記収容構成と前記容器の外部に位置する前記分配構成との間で往復運動し、
前記ホルダ調節装置は、前記運搬ホルダが前記１つ又は複数の小型物品の前記異なる所望のサイズ及び／又は前記異なる所望の個数を前記収容構成と前記分配構成との間で運搬するように、前記運搬ホルダの少なくとも１つの寸法を変更するように構成され、
前記搬送部材に係合するように構成される第１の押しボタンと
前記収容構成において、前記第１の押しボタンの戻り止めは、前記搬送部材の意図しない移動を防止するために前記搬送部材をロックし、
前記容器の前記第１の側面と前記第２の側面との間に亘る漏斗装置と、を備える分配装置。
【請求項１０】
前記漏斗装置は、前記容器の前記第１の側面及び前記第２の側面の少なくとも１つの上に配設された横方向、斜め垂直又は傾斜体を備え、又は、
前記漏斗装置は、前記容器の湾曲した第１の側面及び湾曲した第２の側面の少なくとも１つを備える、請求項９に記載の分配装置。
【請求項１１】
前記ホルダ出口上方の前記容器の角部は、曲線状にされ、切除され又は円形にされ、及び、前記分配装置が操作中にユーザの口にぶつかることを防止するように構成される、請求項９に記載の分配装置。
【請求項１２】
１つ又は複数の小型物品を分配するように構成される分配装置であって、前記分配装置は、
側壁を有する容器と、
前記容器の前記側壁上に配置されたホルダ出口と、
運搬ホルダとホルダ調節装置とを有する搬送部材と、
前記搬送部材は、前記ホルダ出口を通って、収容構成と分配構成との間を往復運動で移動するように構成され、
前記ホルダ出口に配置された調整板と、
前記調整板は、前記ホルダ出口の少なくとも１つの寸法を変更するように構成され、
前記ホルダ調節装置に係合して、前記運搬ホルダが前記１つ又は複数の小型物品の異なる所望のサイズ及び／又は異なる所望の個数を運搬するために前記運搬ホルダの少なくとも１つの寸法を変更するように構成されるハンドルと、を備え、
前記ホルダ調節装置及び前記調整板は、前記容器により保管される前記１つ又は複数の小型物品の前記異なる所望のサイズ及び／又は前記異なる所望の個数を分配するために協同して動作する、分配装置。
【請求項１３】
１つ又は複数の小型物品の異なる所望のサイズ及び／又は異なる所望の個数を分配するように構成される分配装置であって、前記分配装置は、
第１の側面と、
第２の側面と、
保管チャンバと、
下部チャンバと、を有する
容器と、
収容構成において、前記下部チャンバ内に位置するように構成され、及び、前記収容構成と分配構成との間を往復運動で移動するように構成される搬送部材と、
前記容器の前記第１の側面と前記第２の側面との間を亘る防壁装置に隣接する漏斗装置と、
前記１つ又は複数の小型物品の前記異なる所望のサイズが、前記漏斗装置を通って、前記搬送部材の前記運搬ホルダ内に移動できるように、前記漏斗装置の少なくとも１つの寸法を調節するように構成された前記防壁装置に隣接するバッフル装置と、を備え、
前記漏斗装置と前記防壁装置との組み合わせ、又は、前記漏斗装置と前記防壁装置と前記搬送部材の前記バッフル装置の一部との組み合わせは、前記保管チャンバと前記下部チャンバとの間の境界線を画定する、分配装置。
【発明の詳細な説明】
【技術分野】
【０００１】
本開示は一般に、分配装置に関し、より詳細には、所望のサイズ又は個数のタブレット又は錠剤を分配できる分配装置に関する。
【背景技術】
【０００２】
多くの人々が日々、タブレット、錠剤、ミント、キャンディ菓子等を必要とし又は消費している。既存の分配装置は、これらの物を分配するのに便利ではなく、そのような分配において困難を呈することがある。例えば、人々は時に、より小さなサイズのキャンディ菓子を摂取したいと思う。また別の時には、チューインガムのようなより大きなサイズの物を希望する場合がある。さらに、錠剤を分配する時など、正確な分配が必要とされる場合と、ユーザがキャンディ菓子を分配する時など、分配がそれほど正確でなくてもよい場合がある。既存の分配装置は、これらの要求を満たすのに十分適しているとは言えない。その上、既存の分配装置の多くは、再利用できるように設計されておらず、廃棄物を生じている。従って、上述の欠点のうちの１つ又は複数に対処する分配装置が必要とされている。
【発明の概要】
【０００３】
本開示ならびにその特徴及び利点を完全に理解するために、いかに提供される説明を参照し、本開示の添付の図面、背景技術、技術分野、及び見出しと併せて読まれる。本開示及び種々の図面において、同一の数字及び／又は文字が繰り返され得、同一の要素又は機能的に同等の要素として考慮されるべきである。
【図面の簡単な説明】
【０００４】
【図１】図１は、分配構成にある分配装置の一態様を示す斜視図である。
【図２】図２は、収容構成にある図１の分配装置を示す斜視図である。
【図３Ａ】図３Ａは、収容構成にある図１の分配装置の裏側を示す斜視図である。
【図３Ｂ】図３Ｂは、収容構成にある図１の分配装置の裏側の蓋を開けた状態を示す斜視図である。
【図４Ａ】図４Ａは、図１の分配装置の左半分及び右半分の内側を示す斜視図である。
【図４Ｂ】図４Ｂは、図１の分配装置の左半分及び右半分の内側を示す斜視図である。
【図５Ａ】図５Ａは、分配装置のバッフル装置及び底部の別の態様を示す斜視図である。
【図５Ｂ】図５Ｂは、防壁装置の別の態様を示す斜視図である。
【図５Ｃ】図５Ｃは、バッフル装置及び防壁装置のさらに別の態様を示す斜視図である。
【図６Ａ】図６Ａは、漏斗装置の別の態様を示す、左半分及び右半分の内側を示す斜視図である。
【図６Ｂ】図６Ｂは、漏斗装置の別の態様を示す、左半分及び右半分の内側を示す斜視図である。
【図７Ａ】図７Ａは、分配装置の漏斗装置の一態様を示す、図２の線７−７に沿った簡略断面図である。
【図７Ｂ】図７Ｂは、分配装置の２つの側面によって形成される漏斗装置を示す、図２の線７−７に沿った簡略断面図である。
【図８】図８は、搬送構造を示す詳細斜視図である。
【図９Ａ】図９Ａは、図８の搬送構造の分解図である。
【図９Ｂ】図９Ｂは、図８の搬送構造の裏側を示す斜視図である。
【図１０Ａ】図１０Ａは、図８の搬送構造のバッフル装置の他の態様を示す斜視図である。
【図１０Ｂ】図１０Ｂは、図８の搬送構造のバッフル装置の他の態様を示す斜視図である。
【図１１Ａ】図１１Ａは、図８の搬送構成の調整装置の他の態様を示す斜視図である。
【図１１Ｂ】図１１Ｂは、図８の搬送構成の調整装置の他の態様を示す斜視図である。
【図１１Ｃ】図１１Ｃは、図８の搬送構成の調整装置の他の態様を示す斜視図である。
【図１２】図１２は、図８の搬送構造の運搬ホルダの他の態様を示す断面図である。
【図１３Ａ】図１３Ａは、調節板及び防壁装置の代替態様を示す、分配装置の左半分の斜視図である。
【図１３Ｂ】図１３Ｂは、図１３Ａの調節板を採用した分配装置の斜視図である。
【図１４】図１４は、調整装置の押しボタンにカバーが配置された分配装置の一態様を示す斜視図である。
【発明を実施するための形態】
【０００５】
本開示は、説明の詳細に限定されず、様々な他の修正及び応用が考慮され得ることを理解すべきである。デバイス、設計、構成、又は方法のさらなる変更は、本明細書に記載される開示の範囲の真の精神から逸脱することなく当業者になされ、従って、本開示における説明の詳細は本発明の範囲を限定しない例示として解釈されるべきである。さらに、本開示は特定の種類又は形状のタブレット又は錠剤に限定されず、本明細書及び特許請求の範囲を通じて、「タブレット又は錠剤」という用語は、カプセル、チューインガム、ミント、キャンディ菓子つまり種々の小片の菓子、又は装置から分配され得る任意の他の物体を含むように使用されることを理解されたい。
【０００６】
本開示の一態様では、分配装置が搬送構造及びハウジングを含むことができる。第１の収容構成において、搬送構造は、ハウジング内に位置してもよく、一方、第２の分配構成においては、搬送構造の運搬ホルダはタブレット又は錠剤を分配するために、ハウジングから外に移動される。ホルダ出口がハウジングに配置され、搬送構造はホルダ出口を通って、収容構成と分配構成との間を往復運動できる。
【０００７】
搬送構造のバッフル装置及び／又は分配装置の２つの側面の間に画定される防壁装置により、ハウジングは上部チャンバと下部チャンバに分割される。上部チャンバは、タブレット又は錠剤を保管するための保管チャンバとして使用することができ、搬送構造は、収容構成では、下部チャンバ内に位置することができる。
【０００８】
ホルダバッフル装置は、タブレット又は錠剤を保管チャンバから搬送構造の運搬ホルダ内に導くことができる。
【０００９】
保管チャンバと搬送構造の運搬ホルダとの間に漏斗装置を形成するように、ハウジングの少なくとも１つの側面に、いくつかの横方向又は斜め垂直又は傾斜体を構成でき、収容構成において、保管チャンバから運搬ホルダ内へタブレット又は錠剤が滑らかに又は整列して転がる又は他の動きを行うことが容易になる。
【００１０】
収容構成において、タブレット又は錠剤が保管チャンバから運搬ホルダへ滑らかに又は整列して移動できるように、保管チャンバと搬送構造の運搬ホルダとの間に漏斗装置を形成するために、分配装置の少なくとも１つの側面を湾曲させることができる。
【００１１】
調節板はハウジングのホルダ出口に配置されてもよく、ホルダ出口の寸法を変更するために、ボタンが調節板に係合してもよい。別の調整板を防壁装置上に配置して、ハウジングのホルダ出口と防壁装置との間に画定される開口部の寸法を変更してもよい。
【００１２】
調整装置を搬送構造上に構成して、運搬ホルダの寸法を変更してもよい。
【００１３】
搬送構造に連結されたボタンは、搬送構造の収容構成における意図しない移動を防止するために、戻り止め又は他の手段を有する。
【００１４】
さらに、分配装置はプラスチック、合成、金属、ゴム、天然又は任意の他の適切な材料などの任意の適切な材料から形成されてもよく、分配装置は透明又は不透明であってよいことは本開示の教示の範囲内である。
【００１５】
図１は、分配構成における分配装置６を示す。分配装置６は、搬送構造１０及び搬送構造１０を少なくとも部分的に囲むハウジング８を含むことができる。ハウジング８が単一要素から、又は、個別にもしくは一体的に形成される複数の要素から形成されてよいことは、本開示の当業者により理解されるべきである。
例えば、ハウジング８は、前部カバー１１及び後部カバー９、頂部１２及び底部１４、右端壁１６及び左端壁１８を有し得る。左端壁１８と頂部１２との間の角部２０は、丸みを帯びる又は切除される等し得て、これにより、ユーザが分配装置からタブレット又は錠剤を取り出す時に、分配装置６がユーザの口にぶつかるのを防止できる。前部カバー１１及び後部カバー９、頂部１２及び底部１４、右端壁１６及び左端壁１８のうちの１つ又は複数は、分配装置内部の容量を大きくするために又はユーザの快適性のために湾曲していてもよい。代替の態様では、ハウジング８は、本明細書で説明する機能性を可能にする他の適切な構成を有し得る。例えば、ハウジング８は、立方体、球体、円柱等として構成されてもよい。これに加えて又はこれに代えて、ハウジングは、子供又は他のユーザの注目を引くことができる動物、カートゥーンキャラクタなどの形状に構成することができる。
【００１６】
図１に示すように、底部１４に隣接する左端壁１８にホルダ出口２８が構成される。搬送構造１０は、収容構成（図２参照）と分配構成との間で、ホルダ出口２８を通って往復運動するように構成できる。加えて、押しボタン５０は搬送構造１０と共に形成されてもよく、又は、他の作動的な方法で搬送構造１０に連結されてもよく、その結果、ユーザはボタン５０を前方に押して搬送構造１０に係合して、搬送構造１０を収容構成から分配構成に移動させることができる。搬送構造１０は、ばね７４（図６Ａを参照）に係合して、ユーザの力が取り除かれると、搬送構造１０を収容構成に自動的に戻すように作用する付勢力を与え得る。一態様では、調整板２６をホルダ出口２８に近接して配置することができ、押しボタン５２を調整板２６に係合させ調整板２６を上下に移動させることによりホルダ出口２８の寸法を変化させ、例えば、ユーザが装置６を操作する時に、余分なタブレット又は錠剤６８がホルダ出口２８から転がり出るのを防止することができる。
【００１７】
ユーザによるグリップを改善するために、隆起部又はストライプ３８をハウジング８の頂部１２に構成することができる。隆起部３８は、ハウジング８より軟らかい又は硬度が低いオーバーモールド要素として形成でき、隆起部３８が意図した機能性を提供する任意の構成をとり得ることを理解されたい。例えば、隆起部３８は、正弦波状であってもよく、複数の接触線形セグメント等から構成されてもよい。
【００１８】
図２に示すように、分配装置６は、搬送構造１０がハウジング８内に配置された収容構成にある。押しボタン５０及び溝６９は、戻り止め又は他の手段５８（図１参照）を有して、分配装置が収容構成内にある時に、搬送構造１０の意図しない移動を防止してもよい。搬送構造１０に係合できないように、押しボタン５０を戻り止め手段５８に沿ってロック位置まで押し上げることができる。搬送構造１０を作動させたい時には、押しボタン５０をロック解除位置まで押し下げて、押しボタン５０を戻り止め５８から分離することができる。
【００１９】
図３Ａ及び図３Ｂに示すように、分配装置６は、ハウジング８の後部カバー９に配置された蓋５５を有してもよく、ハウジング８の上部１２にヒンジ止めされてもよい。図３Ａにおいて、蓋５５は閉位置にある。図３Ｂにおいて、蓋５５は開位置にある。したがって、ユーザは、蓋５５を開くことによりブレット又は錠剤６８を補充することができる。蓋５５は、分配装置６の他の部品と同じ材料で形成できる。これに加えて又はこれに代えて、蓋５５は、ユーザが分配装置６内にどれだけタブレット又は錠剤があるかを見ることができるように、透明性のある素材で作られてもよい。さらに、蓋５５は暗所で光を放つ又は光る材料を含むことができ、夜間又は暗い部屋で分配装置６を容易に見つけることができる。
【００２０】
図４に示されるように、ハウジング８は、その内部を規定する互いに連結される第１の側面及び第２の側面を有することができ、搬送構造１０はこの２つの側面の間を往復運動できる。一態様では、搬送構造１０は、運搬ホルダ３０、バッフル装置３２及び調整装置２４を含むことができる。運搬ホルダ３０は、タブレット又は錠剤６８を保持運搬するために使用され、運搬ホルダ３０の後部は、バッフル装置３２を含む又はそれに結合することができる。調整装置２４は、運搬ホルダ３０の内寸を変更するために搬送構造１０に配置されてもよく、その結果、分配装置６は様々なサイズ又は意図された個数のタブレット又は錠剤６８を分配できる。
【００２１】
１つの防壁装置３６は、第１の側面と第２の側面との間をバッフル装置３２の端部に隣接して延在でき、搬送構造１０が分配位置に移動した時に形成される間隙にタブレット及び錠剤６８が落下するのを防止することができる。防壁装置３６は、バッフル装置３２と協働して、ハウジング８を上部チャンバと下部チャンバに分割することができる。上部チャンバはタブレット又は錠剤６８を保管するための保管チャンバ５５として使用でき、搬送構造１０は、収容構成では下部チャンバ内に位置することができる。
【００２２】
図５Ａの代替的な構成を参照すると、バッフル装置３２は底部１４の一部と協働して、搬送構造１０が分配位置に移動した時に形成される間隙にタブレット及び錠剤が落下するのを防止することができる。別の態様では、図５Ｂに示すように、防壁装置３６はホルダ出口２８に向かって延在してもよく、開口部６０は防壁装置３６とホルダ出口２８との間に画定されてもよい。延在する防壁装置３６はハウジング８を、タブレット又は錠剤を保管するための上部チャンバと、搬送構造１０を配置するための下部チャンバとに分割してもよい。別の態様では、図５Ｃに示すように、防壁装置３６及びバッフル装置３２は、保管チャンバ５５を拡大するために、底部１４まで傾斜してもよい。
【００２３】
別の態様では、図１３Ａに示すように、防壁装置３６はホルダ出口２８に向かって延在でき、開口部６０は防壁装置３６とホルダ出口２８との間に画定され得る。調整板６２は、防壁装置３６上に開口部６０に隣接して構成することができ、押しボタン３５（図１３Ｂ参照）を調整板６２に係合させて、調整板６２の摺動又は往復運動を可能にして、開口部６０の寸法を変更し、異なるサイズのタブレット又は錠剤が開口部６０を通過して運搬ホルダ３０内に入ることを可能にする。
【００２４】
図４Ａ及び４Ｂに示すように、保管チャンバ５５はハウジング８の２つの側面の間に構成され、２つの側面の間の寸法は運搬ホルダ３０の幅よりも大きいので（図７Ａ参照）、分配装置６は漏斗装置４０を含み得て、収容構成にある時に、タブレット及び錠剤が保管チャンバ５５から運搬ホルダ３０内へ転がり又は他の方法で集められるのを容易にする。漏斗装置４０が意図された機能性のための任意の好適な構成及び方式を有し得ることは、本発明の教示の範囲内である。例えば、一態様では、いくつかの横方向又は斜め垂直又は傾斜体（図４Ａ及び図４Ｂ参照）をハウジング８の少なくとも一方の側面に配置して、これらの側面又は縁部が保管チャンバ５５と運搬ホルダ３０との間に漏斗装置４０（図７Ａ参照）を画定できる。他の態様では、図６Ａ及び図６Ｂに示すように、漏斗装置４０は横方向体を使用せずに、斜め垂直又は傾斜体によって画定され得る。さらに別の態様では、図７Ｂに示すように、ハウジング８の湾曲して傾斜する２つの側面が保管チャンバ５５と運搬ホルダ３０との間の漏斗装置４０を構成することができる。
【００２５】
図４Ａに示すように、調整板２６は従来技術の通常の方式の１つのように、ホルダ出口２８に隣接して配置されてもよく、ボタン５２（図１参照）が調整板２６に係合してホルダ出口２８の寸法を変更し、ユーザが分配装置６を作動させる時に、異なる大きさのタブレット又は錠剤がホルダ出口２８から転がり落ちるのを防止する。
【００２６】
ハウジング８を組み立てるために、スナップ嵌め係合部材４２及び受け入れポート４４がハウジング８の２つの側面に設けられる。スナップ嵌め係合部材４２は、収容ポート４４と係合して、ハウジング８を閉位置に維持することができる。
【００２７】
図６Ａに示すように、ハウジング８の一方の側面にばね溝７０を構成することができ、コイルばね７４をその中に配置することができる。ばね７４は、搬送構造１０上に配置されたばねフック７２（図９Ｂ参照）に連結するように構成された第１の端部と、搬送構造１０の往復運動を容易にするために、ハウジング８に連結される又は他の方法で固定される第２の端部とを有し得る。
【００２８】
図８は、搬送構造１０の拡大詳細図を示す。搬送構造１０は、運搬ホルダ３０、延長部３２、ガイドレール２２、及び調整装置２４を含んでもよい。運搬ホルダ３０はタブレット又は錠剤を保持運搬するために使用される。図面に提示された構成に加えて、代替として、運搬ホルダ３０は蓋を有しない箱、バケツ等として構成されてもよい。図１２に示されるように、運搬ホルダ３０は、タブレット又は錠剤の分配又は保持を容易にするために、運搬ホルダ３０の中に画定される１又は複数の傾斜本体８２を含み得る。運搬ホルダ３０は、ユーザがその状態を観察できるように透明であってもよい。一態様では、ガイドレール２２が搬送構造１０に構成され得て、ハウジング８の側面に構成されたガイド溝４６（図６Ａ参照）を補完して相互作用し、搬送構造１０の往復運動を容易にする。
【００２９】
図８に示すように、バッフル装置３２は運搬ホルダ３０の後部に連結される又はこれと一体に形成された１枚の板又は他の平面構造であってよく、保管チャンバ５５のタブレット及び錠剤を運搬ホルダ３０に導くことができる。また、バッフル装置３２はハウジング８を上部チャンバと下部チャンバに分割し、防壁装置３６と協働して、分配構造が分配構成に移動した時に画定される間隙にタブレット又は錠剤６８が落下するのを防止する役割も果たし得る（図４参照）。延長部３２が意図された機能性のための任意の適切な構成及び方式で形成され得ることは、本開示の教示の範囲内である。例えば、一態様では、図１０Ｂに示されるように、延長部３２は一連の垂直板の配列によって形成され、垂直板の縁部を用いて面３２を形成し、意図された機能性を果たすことができる。別の態様では、図１０Ａに示されるように、バッフル装置はユーザ動作の快適性を高めるために長いハンドル延長部３４を有してもよい。さらに、延長部３２に固定された捕捉部２１（図８参照）は、調整装置２４の突出部２３と相互補完して、調整装置２４を１つ又は複数の所定の位置に固定する。
【００３０】
図９Ａに示すように、調整装置２４は、L字型の板であってもよい。調整装置２４の一部はバッフル装置３２の上に配置することができ、調整装置２４の一部は運搬ホルダ３０内に配置することができる。調整装置２４上に取り付けられた突出部２３は、バッフル装置３２の捕捉部２１と相互相補して、調整装置２４の移動を制御する。ハンドル２５は、調整装置２４のユーザ調節を可能にするために、調整装置２４上に固定されてもよく、ボタン５６に連結されてもよい（図１参照）。分配装置６が収容構成にある時、ユーザは、まず、ボタン５０をロック位置まで押し上げるか、又は搬送構造１０をホルダ出口２８に保持し得る。次に、ユーザは、ボタン５６（図２参照）を押して調整装置２４（図８参照）に係合させ、タブレット又は錠剤の所望のサイズ又は個数を保持するために運搬ホルダ３０の内寸を変更し得る。
【００３１】
調整装置２４は、運搬ホルダ３０の内寸を変更するための意図された機能性を提供するために、任意の好適な構成又は方式によって形成され得ることが当業者によって認識される。例えば、図１１Ａに示すように、バッフル装置３２は短くてもよく、調整装置２４は長い延長部を有することができる。別の態様では、図１１Ｂに示すように、調整装置２４は、運搬ホルダ３０の幅寸法を変更するために、狭く長いL字型の板であってもよい。別の態様では、図１１Ｃに示すように、調整装置２４をバッフル装置３２の下方に配置してもよい。
【００３２】
図１４に示すように、カバー４８をハウジング８上に配置して、調整装置２４のボタン５６をカバーして隠してもよい。
【００３３】
前述の開示から、分配装置６が所望のサイズ又は個数のタブレット又は錠剤を分配することができること、および、ユーザはホルダ出口２８、運搬ホルダ３０及び開口部６０のそれぞれの寸法を個別に又は連動して変更することができ、所望の数又はサイズのタブレット又は錠剤に合わせた分配とすることができることが認識されるべきである。
【００３４】
前述の詳細な説明はいくつかの例及び態様を参照するが、関連技術の当業者には、その真の精神及び範囲から逸脱することなく、説明された態様に様々な修正及び変更を行い得ることが理解されるであろう。また、本特許請求の範囲の技術と非実質的に相違する全ての要素又はステップが、それぞれ実質的に同じ方法で実質的に同じ機能を満たし、本特許請求の範囲と同じ結果を得ることができる場合には、それらは本開示の範囲内にあると理解される。
【図１】
0006822720.tif 000002
【図２】
0006822720.tif 000003
【図３Ａ】
0006822720.tif 000004
【図３Ｂ】
0006822720.tif 000005
【図４Ａ】
0006822720.tif 000006
【図４Ｂ】
0006822720.tif 000007
【図５Ａ】
0006822720.tif 000008
【図５Ｂ】
0006822720.tif 000009
【図５Ｃ】
0006822720.tif 000010
【図６Ａ】
0006822720.tif 000011
【図６Ｂ】
0006822720.tif 000012
【図７Ａ】
0006822720.tif 000013
【図７Ｂ】
0006822720.tif 000014
【図８】
0006822720.tif 000015
【図９Ａ】
0006822720.tif 000016
【図９Ｂ】
0006822720.tif 000017
【図１０Ａ】
0006822720.tif 000018
【図１０Ｂ】
0006822720.tif 000019
【図１１Ａ】
0006822720.tif 000020
【図１１Ｂ】
0006822720.tif 000021
【図１１Ｃ】
0006822720.tif 000022
【図１２】
0006822720.tif 000023
【図１３Ａ】
0006822720.tif 000024
【図１３Ｂ】
0006822720.tif 000025
【図１４】
0006822720.tif 000026